(57)【特許請求の範囲】
【請求項１】
磁気記録媒体又は光記録媒体に記録された情報を再生する磁気記録再生装置又は光記録再生装置と、
前記磁気記録再生装置又は前記光記録再生装置により再生された再生信号を、パーシャルレスポンス方式を用いて多値の離散信号とし、前記多値の離散信号の高周波数領域における直流成分を０とする直流成分制御手段と、
前記直流成分制御手段が出力する多値の離散信号のトップレベルとボトムレベルを求めるレベル検出手段と、
前記レベル検出手段により検出された、前記多値の離散信号のトップレベルとボトムレベルの絶対値の差分から、前記再生信号の歪みであるアシンメトリの量を求めるアシンメトリ検出手段と、
を備え、
前記アシンメトリ検出手段により求められた前記アシンメトリ量を軽減するように、前記磁気記録再生装置又は前記光記録再生装置によって前記磁気記録媒体又は前記光記録媒体に情報を記録する時に、前記アシンメトリの補正を行うこと、
を特徴とする、記録補償装置。
【請求項２】
磁気記録媒体又は光記録媒体に記録された情報を再生する磁気記録再生装置又は光記録再生装置と、
前記磁気記録再生装置又は前記光記録再生装置により再生された再生信号を、パーシャルレスポンス方式を用いて多値の離散信号とし、前記多値の離散信号の高周波数領域における直流成分を０とする直流成分制御手段と、
前記直流成分制御手段が出力する多値の離散信号のレベルからセンターレベルを除いた複数個のレベル毎の値を求めるレベル検出手段と、
前記レベル検出手段により検出された前記レベル毎の値を用い、センターレベルを境として対称の位置にある前記複数個のレベル同士の値に対する絶対値の差分から複数個の前記再生信号の歪みであるアシンメトリの量を求めるアシンメトリ検出手段と、
を備え、
前記アシンメトリ検出手段により求められた前記複数個のアシンメトリ量を軽減するように、前記磁気記録再生装置又は前記光記録再生装置によって前記磁気記録媒体又は前記光記録媒体に情報を記録する時に、アシンメトリの補正を行うこと、
を特徴とする、記録補償装置。
【請求項３】
請求項２に記載の記録補償装置において、
前記アシンメトリ検出手段により求められた前記複数個のアシンメトリ量に優先順位を与え、これらの優先順位を有したアシンメトリの量を軽減するように、前記磁気記録再生装置又は前記光記録再生装置によって前記磁気記録媒体又は前記光記録媒体に情報を記録する時に、アシンメトリの補正を行うこと、
を特徴とする、記録補償装置。
【発明の詳細な説明】
【０００１】
【発明の属する技術分野】
本発明は、磁気記録媒体及び光記録媒体に対するデータの記録再生方法に関するものであり、特にアシンメトリを持つ再生信号に対して記録補償を行うという特徴を有するものである。
【０００２】
【従来の技術】
ディスク状の磁気記録媒体や光記録媒体（以下、単に「記録媒体」と言う。）は、一度に取り扱う情報量が増大しつつある最近の傾向に伴い、これを高密度記録化することで１枚の記録媒体に記録できる情報量を増やそうとしている。しかし、高密度記録化が進んだ記録媒体に記録された情報を再生装置で再生する時に得られる信号は、アシンメトリと呼ばれる非線形の歪みを持つ信号となる。
このことを、光ビームを用いて熱記録を行う光ディスクの場合を例にあげて説明する。
【０００３】
図３は再生信号と、光ディスク表面にレーザを用いて熱記録された記録マークとの関係を表した図である。
記録マークは、異なるレーザを光ディスク表面に照射することにより生成される。また同様にして消去することも行われる。レーザにより生成された記録マークの部分は光ディスク表面が光の反射率の低い非晶質状態となり、一方、記録マークと記録マークの間、即ち記録マークの存在しない部分は、元々の光ディスク表面がそのまま、即ち光の反射率の高い結晶状態のままである。そしてこの光ディスクを再生すると図３（ａ）に示すような再生信号が得られる。
【０００４】
このように異なるレーザを光ディスク表面に照射する際に、記録マークの終端には若干の熱が蓄積される。これを蓄熱現象と呼ぶが、この蓄熱現象により、記録マークの本来あるべき形状が歪み、そのため記録マークのエッジが少しずれてしまう。そして、このような光ディスクを再生しても、図３（ｂ）に示すような非線形の歪んだ再生信号、即ちアシンメトリを持つ再生信号しか得られない。このアシンメトリは、記録媒体の高密度記録化が進むと、記録マーク自体の幅と記録マーク同士の間隔が小さくなるので、記録マークのエッジは微少とはいえ変動しやすくなる。つまり高密度記録化された記録媒体ほどアシンメトリが発生しやすくなる。また、記録マークの幅と記録マーク同士の間隔が元々小さい高周波領域の信号の場合は、通常でもアシンメトリが発生し易いのに、高密度記録化が進む事により、さらにアシンメトリが発生し易くなる。
【０００５】
そして、アシンメトリが発生すると、高周波数領域の信号と低周波数領域の信号とでセンターレベルが異なってしまうので、データの読み取りの際に誤りが生じ易くなってしまい、問題となる。つまり、同じアシンメトリ量であっても、記録マークの小さい高周波数領域での影響は大きく、そのためセンターレベルは大きくずれるのに対して、記録マークの大きい低周波数領域での影響は小さく、このためセンターレベルはあまりずれない、という現象が生じるのである。
【０００６】
アシンメトリが発生した再生信号の波形を示した図３（ｂ）を参照しつつさらに説明すると、ここに示した再生信号の波形において、実線で示した水平線をスライスレベルＳとして、サンプリングポイントがスライスレベルＳより上にあるか下にあるかで「０」「１」の判定をする場合、誤差によってはスライスレベルＳの下にあるサンプリングポイントがスライスレベルＳの上に来てしまい、判定を誤る、ということが生じる。そこで、図中一点鎖線で示した水平線をスライスレベルＴとすると、多少の誤差では上述のような誤判定をすることが無くなる。しかし、実際のスライスレベルは、あくまでも実線で示した水平線であるスライスレベルＳであるので、再生信号の波形を、スライスレベルＳに対して上下対称な波形となるようにアシンメトリを補正することにより、誤判定の発生率を抑えることが出来る。
【０００７】
そこで、通常の記録補償装置には、上述のようにしてアシンメトリを補正できる機能が備えられている。そこで次に、そのようなアシンメトリ補正機能を備えた従来の記録補償装置２００を図面を参照しつつ説明する。
図６はこの記録補償装置２００の構成を示すブロック図であり、この記録補償装置２００は、記録媒体に記録された情報を再生して得られる再生信号のアシンメトリを検出すると共に、得られた再生信号のアシンメトリを補正する装置である。
【０００８】
記録補償装置２００は、図６に示すように、光ビームにより、記録媒体に情報を記録したり、記録媒体に記録された情報を再生する記録再生装置２０１と、記録再生装置２０１より再生された信号をパーシャルレスポンス方式を利用して多値の離散信号Ｘとし、この多値の離散信号Ｘの各レベルを検出するレベル検出器２０２と、レベル検出器２０２より検出された多値の離散信号Ｘの各レベルからアシンメトリ量ΔＬを検出するアシンメトリ検出器２０３とを備えている。
【０００９】
そして、この記録補償装置２００は、アシンメトリ検出器２０３より検出されたアシンメトリ量ΔＬを軽減するように、ここでは図示しない記録再生装置２０１の発する光ビームの出力であるレーザパワーの調節をして、記録の補償を行うものである。
尚、多値の離散信号の各レベルとは、例えば３値の離散信号を得られるようなパーシャルレスポンス方式を用いた場合においては、トップレベル、センターレベルおよびボトムレベルを各レベルという。
【００１０】
次に、このように構成される記録補償装置２００の動作について説明する。
記録再生装置２０１は、記録媒体に情報を記録したり、記録された情報を再生したりする。またアシンメトリ量を軽減するように、ここでは図示しない光ビームの出力であるレーザパワーを、記録時において調節することができる。
【００１１】
レベル検出器２０２は、記録再生装置２０１によって再生された再生信号に対して、各レベルの値を検出する。例えば３値の離散信号を得られるようなパーシャルレスポンス方式を用いた場合、得られる再生信号は、図７に示すように、トップレベル（ＬＴ）、センターレベル（ＬＣ）、ボトムレベル（ＬＢ）の３つのレベルを持つ離散信号となるが、レベル検出器２０２はこれらの各レベルの値を検出する。
【００１２】
アシンメトリ検出器２０３は、レベル検出器２０２により検出された各レベルの値から、次式（１）によりアシンメトリ量ΔＬを求める。
ΔＬ＝ＬＣ−（ＬＴ＋ＬＢ）／２  ・・・（１）
そして従来の記録補償装置２００では、アシンメトリ検出器２０３で算出されたアシンメトリ量ΔＬを記録再生装置２０１にフィードバックし、情報の記録時にアシンメトリ量ΔＬを軽減させるようレーザーパワーを調節することにより、アシンメトリを補正していた。
【００１３】
【発明が解決しようとする課題】
ところが、上述したアシンメトリ補正方式を用いる場合であれば、式（１）からも判るように、パーシャルレスポンス方式を用いて得られる多値の離散信号のセンターレベルを用いないとアシンメトリ量を求めることができなかった。
しかし、記録媒体の高密度記録化が進むと、先述の通りアシンメトリが生じ易くなり、またアシンメトリの為に、高い周波数領域の信号のセンターレベルは、低い周波数領域の信号のセンターレベルとは異なってくるため、センターレベルの値をどの値にするかでアシンメトリの量が変わってしまい、センターレベルの設定が難しくなる、という問題を生じていた。
【００１４】
そこで、本発明は上記の点に鑑みてなされたものであり、その目的は高密度記録化の進んだ記録媒体を用いた場合であっても、正確にアシンメトリ量を検出することが出来、さらにアシンメトリを持つ再生信号に対して記録補償を行うことが出来る記録補償装置を提供することにある。
【００１５】
【課題を解決するための手段】
上記の課題を達成するため、本発明の請求項１に記載の記録補償装置では、磁気記録媒体又は光記録媒体に記録された情報を再生する磁気記録再生装置又は光記録再生装置と、前記磁気記録再生装置又は前記光記録再生装置により再生された再生信号を、パーシャルレスポンス方式を用いて多値の離散信号とし、前記多値の離散信号の高周波数領域における直流成分を０とする直流成分制御手段と、前記直流成分制御手段が出力する多値の離散信号のトップレベルとボトムレベルを求めるレベル検出手段と、前記レベル検出手段により検出された、前記多値の離散信号のトップレベルとボトムレベルの絶対値の差分から、前記再生信号の歪みであるアシンメトリの量を求めるアシンメトリ検出手段と、を備え、前記アシンメトリ検出手段により求められた前記アシンメトリ量を軽減するように、前記磁気記録再生装置又は前記光記録再生装置によって前記磁気記録媒体又は前記光記録媒体に情報を記録する時に、前記アシンメトリの補正を行うこと、を特徴とする。
【００１６】
また、本発明の請求項２に記載の記録補償装置では、磁気記録媒体又は光記録媒体に記録された情報を再生する磁気記録再生装置又は光記録再生装置と、前記磁気記録再生装置又は前記光記録再生装置により再生された再生信号を、パーシャルレスポンス方式を用いて多値の離散信号とし、前記多値の離散信号の高周波数領域における直流成分を０とする直流成分制御手段と、前記直流成分制御手段が出力する多値の離散信号のレベルからセンターレベルを除いた複数個のレベル毎の値を求めるレベル検出手段と、前記レベル検出手段により検出された前記レベル毎の値を用い、センターレベルを境として対称の位置にある前記複数個のレベル同士の値に対する絶対値の差分から複数個の前記再生信号の歪みであるアシンメトリの量を求めるアシンメトリ検出手段と、を備え、前記アシンメトリ検出手段により求められた前記複数個のアシンメトリ量を軽減するように、前記磁気記録再生装置又は前記光記録再生装置によって前記磁気記録媒体又は前記光記録媒体に情報を記録する時に、アシンメトリの補正を行うこと、を特徴とする。
【００１７】
また、本発明の請求項３に記載の記録補償装置は、請求項２に記載の記録補償装置において、前記アシンメトリ検出手段により求められた前記複数個のアシンメトリ量に優先順位を与え、これらの優先順位を有したアシンメトリの量を軽減するように、前記磁気記録再生装置又は前記光記録再生装置によって前記磁気記録媒体又は前記光記録媒体に情報を記録する時に、アシンメトリの補正を行うこと、を特徴とする。
【００１８】
【発明の実施の形態】
以下、本発明の実施の形態について図面を参照しながら説明する。尚、ここで示す実施の形態はあくまでも一例であって、必すしもこの実施の形態に限定されるものではない。
【００１９】
（実施の形態１）
本発明に係る記録補償装置の一例を第１の実施の形態として、図面を参照しつつ説明する。
図１は、本実施の形態に係る記録補償装置１００の構成を示すブロック図であり、この記録補償装置１００は、記録媒体に記録された情報を再生して得られる再生信号のアシンメトリを検出すると共に、得られた再生信号のアシンメトリを補正する記録補償装置である。
【００２０】
この記録補償装置１００は、図１に示すように、光ビームにより、記録媒体に情報を記録したり、記録媒体に記録された情報を再生する記録再生装置１０１と、記録再生装置１０１より再生された信号をパーシャルレスポンス方式を用いて多値の離散信号Ａとし、この多値の離散信号Ａの高周波数領域における直流成分を０にするような直流（Ｄｉｒｅｃｔ  Ｃｕｒｒｅｎｔ、以下「ＤＣ」とする。）制御装置１０２と、ＤＣ制御装置１０２により、高周波数領域における直流成分を０とした多値の離散信号Ａのトップレベルとボトムレベルを検出するレベル検出器１０３と、レベル検出器１０３より検出された、多値の離散信号Ａのトップレベルとボトムレベルのそれぞれの絶対値を求め、トップレベルの絶対値からボトムレベルの絶対値を減算し、アシンメトリ量ΔＬを検出するアシンメトリ検出器１０４とを備えている。
【００２１】
ここでＤＣ制御装置１０２について簡単に説明する。
ＤＣ制御装置１０２の構成は図２のブロック図に示す通りであるが、このＤＣ制御装置１０２は、離散信号と誤差信号を加算する加算器５０１と、閾値を０レベルに設定し、加算器５０１の出力信号が閾値より大きな値であれば−１、閾値より小さな値であれば１とする判定器５０２と、判定器５０２の出力から誤差信号を生成する誤差信号生成回路５０３とで構成される。
【００２２】
低い周波数領域の信号に対しては０レベルの閾値で判定しても誤差信号の値はほとんど０であるが、高い周波数領域の信号はアシンメトリを持つことにより、閾値０レベルで判定すると誤差信号は正側か負側のどちらかの値を持つことになる。
例えば、図３（ｂ）のように高い周波数領域の信号の直流成分が正側にずれている場合は判定器から−１が出力される回数が多くなるため、誤差信号生成回路５０３から出力される誤差信号は負の値を持つ。これを多値の離散信号Ａに加算することで高い周波数領域の信号の直流成分を０に合わせることができる。
【００２３】
この高い周波数領域の信号の直流成分を０に合わせた多値の離散信号Ａでは、センターレベルを用いることなしにアシンメトリ量を求めることができる。
この多値の離散信号Ａのトップレベルを（ＬＴ）、ボトムレベルを（ＬＢ）とすると、アシンメトリ量ΔＬは次式（２）により算出される。
ΔＬ＝｜ＬＴ｜−｜ＬＢ｜  ・・・（２）
【００２４】
そして、この記録補償装置１００は、アシンメトリ検出器１０４において上記の式（２）により求められたアシンメトリ量ΔＬを軽減するように、ここでは図示しない記録再生装置１０１の発する光ビームの出力であるレーザパワーの調節をして、記録の補償を行うのである。
【００２５】
このように、上記の式（２）よりも判るように、本実施の形態における記録補償装置１００では、パーシャルレスポンス方式を用いて得られる多値の離散信号Ａのセンターレベルを用いることなく、アシンメトリ量ΔＬを算出することが可能である。即ち、この記録補償装置１００ではセンターレベルに関係なくアシンメトリ量ΔＬを算出できるので、常に正確なアシンメトリ量の検出及び補正を行う事が出来て、大変好適なものとなる。
【００２６】
（実施の形態２）
上述の第１の実施の形態においては、離散信号を３値とした場合の記録補償装置について説明したが、この離散信号が３値以外の場合、即ち任意に設定した複数の値である場合の記録補償装置について、これを第２の実施の形態として、図面を参照しつつ説明する。なお、上述した第１の実施の形態と同じ部材、構成については同じ符号を用い、その説明を省略する。
図４は、本実施の形態に係る記録補償装置６００の構成を示すブロック図であり、この記録補償装置６００は、先述の記録補償装置１００と同様に、得られた再生信号のアシンメトリを補正する記録補償装置である。
【００２７】
この記録補償装置６００は、図４に示すように、記録再生装置１０１と、記録再生装置１０１により再生された信号をパーシャルレスポンス方式を用いて多値の離散信号Ｂとし、この多値の離散信号Ｂの高周波数領域における直流成分を０にするようなＤＣ制御装置１０２と、ＤＣ制御装置１０２より、高周波数領域における直流成分を０とした多値の離散信号Ｂにおいて、任意の複数個存在するレベルのうち、センターレベルを除く残り全てのレベルを検出するレベル検出器６０３と、レベル検出器６０３により検出された多値の離散信号Ｂにおける全てのレベルを用いてアシンメトリ量ΔＬを検出するアシンメトリ検出器６０４と、を備えている。
【００２８】
例えば、高次のパーシャルレスポンス方式を用いて図５のような５値の離散信号が得られたとすると、レベル検出器６０３はトップレベル（ＬＴ）、ボトムレベル（ＬＢ）の他にミドルレベル（ＬＭ）、（ＬＮ）の値を検出する。
アシンメトリ検出器６０４は正側と負側の絶対値が一番大きなレベルからアシンメトリ量ΔＬ１を求め、次に正側と負側の絶対値が２番目に大きなレベルからアシンメトリ量ΔＬ２を求める。これらのアシンメトリ量ΔＬ１、ΔＬ２は式（３）及び式（４）により算出される。
ΔＬ１＝｜ＬＴ｜−｜ＬＢ｜  ・・・（３）
ΔＬ２＝｜ＬＭ｜−｜ＬＮ｜  ・・・（４）
【００２９】
そして、この記録補償装置６００は、アシンメトリ検出器１０４において、まず始めに上記の式（３）により求められたアシンメトリ量ΔＬ１で粗くアシンメトリの補正をし、次いで上記の式（４）により求められたアシンメトリ量ΔＬ２で細かくアシンメトリの補正を行う、という手順により、全体のアシンメトリ量を軽減するように、ここでは図示しない記録再生装置１０１の発する光ビームの出力であるレーザパワーの調節をして、記録の補償を行うのである。
【００３０】
また、上記の式（３）及び（４）よりも判るように、本実施の形態における記録補償装置６００では、パーシャルレスポンス方式を用いて得られる５値の離散信号Ｂのセンターレベルを用いずにアシンメトリ量を算出することが可能である。即ち、この記録補償装置６００ではセンターレベルに関係なくアシンメトリ量ΔＬ１及びΔＬ２を算出できるので、高密度記録化の進んだ記録媒体を用いた場合であっても、常に正確なアシンメトリ量の検出及び補正を行う事が出来て、大変好適なものとなる。
【００３１】
なお、この第２の実施の形態では５値の離散信号となるパーシャルレスポンス方式を用いているが、さらに高次のパーシャルレスポンス方式を用いて、５値より多くの値となる離散信号となった場合であっても、この第２の実施の形態の場合と同様に、絶対値の大きなレベルから求めたアシンメトリ量から順にアシンメトリの補正を行っていくことで、正確な記録補償を行うことができる。
【００３２】
また、ここでは詳述しないが、アシンメトリ検出手段により求められたアシンメトリ量に優先順位を与え、その優先順位に従いアシンメトリ量を軽減するようにアシンメトリの補正を行うように、この記録補正装置６００を構成することも考えられる。この場合は、高密度記録化の進んだ記録媒体を用いた場合であっても、先述の場合よりも一層正確なアシンメトリ量の検出及び補正を行うことが出来て、大変好ましい。
【００３３】
【発明の効果】
以上の通り、本発明にかかる記録補償装置によれば、レベル検出手段により検出された、多値の離散信号のトップレベルとボトムレベルの絶対値の差分から、再生信号の歪みであるアシンメトリの量を求めるアシンメトリ検出手段を備え、該アシンメトリ検出手段で求めたアシンメトリ量を軽減するように、記録媒体への情報の記録時にアシンメトリの補正を行うことにより、多値の離散信号のセンターレベルを用いなくても正確なアシンメトリ量の検出及び補正を行うことができるとともに、高密度記録化が進んだ場合でも高い周波数領域の直流成分は０にしていることより、センターレベルを用いなくてもアシンメトリ量を求めることができるため、正確な記録補償を行うことができる。
【００３４】
また、本発明にかかる記録補償装置によれば、レベル検出手段により検出されたレベル毎の値を用い、センターレベルを境として対称の位置にある複数個のレベル同士の値に対する絶対値の差分から複数個の再生信号の歪みであるアシンメトリの量を求めるアシンメトリ検出手段を備え、該アシンメトリ検出手段で求めた複数個のアシンメトリ量を軽減するようにデータの記録時にアシンメトリの補正を行うことにより、センターレベルに関係なくアシンメトリ量を求めることができるため、高密度記録化が進んだ場合でも正確なアシンメトリ量の検出および補正を行うことができる。
【図面の簡単な説明】
【図１】本発明の実施の形態１に係る記録補償装置の構成を示すブロック図である。
【図２】本発明の実施の形態１に係る記録補償装置に用いられるＤＣ制御装置の構成を示すブロック図である。
【図３】記録媒体を再生した時に得られる再生信号と記録マークの関係を示した図である。
【図４】本発明の実施の形態２に係る記録補償装置の構成を示すブロック図である。
【図５】本発明の実施の形態２に係る５値の離散信号を示した図である。
【図６】従来の技術における従来の記録補償装置の構成を示すブロック図。
【図７】従来の技術に係る３値の離散信号を示した図である。
【符号の説明】
１００  記録補償装置
１０１  記録再生装置
１０２  ＤＣ制御装置
１０３  レベル検出器
１０４  アシンメトリ検出器
２００  記録補償装置
２０１  記録再生装置
２０２  レベル検出器
２０３  アシンメトリ検出器
５０１  加算器
５０２  判定器
５０３  誤差信号生成回路
６００  記録補償装置
６０３  レベル検出器
６０４  アシンメトリ検出器
【図１】
0003602983.tif 000002
【図２】
0003602983.tif 000003
【図３】
0003602983.tif 000004
【図４】
0003602983.tif 000005
【図５】
0003602983.tif 000006
【図６】
0003602983.tif 000007
【図７】
0003602983.tif 000008